(57)【要約】【課題】通信環境に基づき、コンテンツを生成し、送信するための通信環境検出システム、コンテンツ生成システム、通信環境検出方法、コンテンツ生成方法及びプログラムを提供すること。【解決手段】情報表示端末と通信環境検出端末とが接続されている通信環境検出システムであって、情報表示端末は、所定の時間間隔ごとに通信環境情報を取得する通信環境情報取得手段と、通信環境手段により取得された通信環境情報を通信環境検出端末に送信する送信手段と、を有し、通信環境検出端末は、情報表示端末から送信された通信環境情報を受信する受信手段と、受信手段により受信された通信環境情報を記憶する記憶手段と、を有する。【選択図】図２
2010226586.tif 000002
【特許請求の範囲】
【請求項１】
情報表示端末と通信環境検出端末とが接続されている通信環境検出システムであって、
前記情報表示端末は、所定の時間間隔ごとに通信環境情報を取得する通信環境情報取得手段と、
前記通信環境手段により取得された前記通信環境情報を前記通信環境検出端末に送信する送信手段と、を有し、
前記通信環境検出端末は、前記情報表示端末から送信された前記通信環境情報を受信する受信手段と、
前記受信手段により受信された前記通信環境情報を記憶する記憶手段と、を有することを特徴とする通信環境検出システム。
【請求項２】
前記送信手段は、前記通信環境手段により前記通信環境情報が取得されるごとに、当該通信環境情報を前記通信環境検出端末に送信することを特徴とする請求項１に記載の通信環境検出システム。
【請求項３】
情報表示端末と通信環境検出端末とが接続されている通信環境検出システムであって、
前記通信環境検出端末は、第１の所定の時間間隔ごとに通信環境情報の要求を前記情報表示端末に送信する第１の送信手段を有し、
前記情報表示端末は、前記通信環境検出端末より送信される前記通信環境情報の要求を受信する第１の受信手段と、
前記通信環境情報の要求を第１の受信手段により受信したときに、前記通信環境情報を取得する通信環境取得手段と、
前記通信環境情報取得手段により取得された前記通信環境情報を前記通信環境検出端末に送信する第２の送信手段と、を有し、
前記通信環境検出端末は、前記情報表示端末から送信された前記通信環境情報を受信する第２の受信手段と、
前記第２の受信手段により受信された前記通信環境情報を記憶する第１の記憶手段と、も有することを特徴とする通信環境検出システム。
【請求項４】
前記通信環境情報取得手段は、第２の所定の時間間隔ごとに前記通信環境情報を取得し、
前記情報表示端末は、前記通信環境取得手段により取得された前記通信環境情報を記憶する第２の記憶手段を有し、
前記第２の送信手段は、前記通信環境情報の要求を第２の受信手段により受信したときに、前記第２の記憶手段により記憶されている前記通信環境情報のうちで、最新の前記通信環境情報を送信することを特徴とする請求項３に記載の通信環境検出システム。
【請求項５】
前記通信環境情報は、無線通信の際に使用される電波の強度が記述されていることを特徴とする請求項１から４のいずれか１項に記載の通信環境検出システム。
【請求項６】
前記通信環境情報は、有線通信の際に使用される回線の通信速度が記述されていることを特徴とする請求項１から５のいずれか１項に記載の通信環境検出システム。
【請求項７】
情報表示端末と通信環境検出端末と情報コンテンツ生成端末とが接続されているコンテンツ生成システムであって、
前記情報表示端末は、所定の時間間隔ごとに通信環境情報を取得する通信環境情報取得手段と、
前記通信環境手段により取得された前記通信環境情報を前記通信環境検出端末に送信する第１の送信手段と、を有し、
前記通信環境検出端末は、前記情報表示端末から送信された前記通信環境情報を受信する第１の受信手段と、
前記第１の受信手段により受信された前記通信環境情報を記憶する第１の記憶手段と、を有し、
前記情報表示端末は、情報コンテンツの要求を前記情報コンテンツ生成端末に第１の送信手段により送信し、
情報コンテンツ生成端末は、前記情報表示端末から送信された前記情報コンテンツの要求を受信する第２の受信手段と、
前記第２の受信手段により前記情報コンテンツの要求を受信したときに、前記通信環境情報の要求を前記通信環境検出端末に送信する第２の送信手段と、を有し、
前記通信環境検出端末は、前記第１の受信手段により前記通信環境情報の要求を受信したとき、前記第１の記憶手段により記憶されている前記通信環境情報のうち、最新の前記通信環境情報を送信する第３の送信手段も有し、
前記情報コンテンツ生成端末は、前記通信環境検出端末から送信された前記通信環境情報を前記第２の受信手段により受信し、
前記第２の受信手段により受信された前記通信環境情報に基づき、情報コンテンツを生成する情報コンテンツ生成手段も有し、
前記情報コンテンツ生成手段により生成された前記情報コンテンツを前記情報表示端末に前記第２の送信手段により送信し、
前記情報表示端末は、前記情報コンテンツ生成端末から送信された前記情報コンテンツを受信する第３の受信手段も有することを特徴とするコンテンツ生成システム。
【請求項８】
前記第１の送信手段は、前記通信環境手段により前記通信環境情報が取得されるごとに、当該通信環境情報を前記通信環境検出端末に送信することを特徴とする請求項７に記載のコンテンツ生成システム。
【請求項９】
情報表示端末と通信環境検出端末とが接続されているコンテンツ生成システムであって、
前記通信環境検出端末は、第１の所定の時間間隔ごとに通信環境情報の要求を前記情報表示端末に送信する第３の送信手段を有し、
前記情報表示端末は、前記通信環境検出端末より送信される前記通信環境情報の要求を受信する第３の受信手段と、
前記通信環境情報の要求を第３の受信手段により受信したときに、前記通信環境情報を取得する通信環境取得手段と、
前記通信環境情報取得手段により取得された前記通信環境情報を前記通信環境検出端末に送信する第１の送信手段と、を有し、
前記通信環境検出端末は、前記情報表示端末から送信された前記通信環境情報を受信する第１の受信手段と、
前記第１の受信手段により受信された前記通信環境情報を記憶する第１の記憶手段と、も有し、
前記情報表示端末は、情報コンテンツの要求を前記情報コンテンツ生成端末に第１の送信手段により送信し、
情報コンテンツ生成端末は、前記情報表示端末から送信された前記情報コンテンツの要求を受信する第２の受信手段と、
前記第２の受信手段により前記情報コンテンツの要求を受信したときに、前記通信環境情報の要求を前記通信環境検出端末に送信する第２の送信手段と、を有し、
前記通信環境検出端末は、前記第１の受信手段により前記通信環境情報の要求を受信したとき、前記第１の記憶手段により記憶されている前記通信環境情報のうち、最新の前記通信環境情報を第３の送信手段により送信し、
前記情報コンテンツ生成端末は、前記通信環境検出端末から送信された前記通信環境情報を前記第２の受信手段により受信し、
前記第２の受信手段により受信された前記通信環境情報に基づき、情報コンテンツを生成する情報コンテンツ生成手段も有し、
前記情報コンテンツ生成手段により生成された前記情報コンテンツを前記情報表示端末に前記第２の送信手段により送信し、
前記情報表示端末は、前記情報コンテンツ生成端末から送信された前記情報コンテンツを第３の受信手段により受信することを特徴とするコンテンツ生成システム。
【請求項１０】
前記通信環境情報取得手段は、第２の所定の時間間隔ごとに前記通信環境情報を取得し、
前記情報表示端末は、前記通信環境取得手段により取得された前記通信環境情報を記憶する第２の記憶手段を有し、
前記第１の送信手段は、前記通信環境情報の要求を第３の受信手段により受信したときに、前記第２の記憶手段により記憶されている前記通信環境情報のうちで、最新の前記通信環境情報を送信することを特徴とする請求項９に記載のコンテンツ生成システム。
【請求項１１】
前記通信環境情報は、無線通信の際に使用される電波の強度が記述されていることを特徴とする請求項７から１０のいずれか１項に記載のコンテンツ生成システム。
【請求項１２】
前記通信環境情報は、有線通信の際に使用される回線の通信速度が記述されていることを特徴とする請求項７から１１のいずれか１項に記載のコンテンツ生成システム。
【請求項１３】
前記情報表示端末は、前記受信された情報コンテンツを表示する表示手段も有することを特徴とする請求項７から１２のいずれか１項に記載のコンテンツ生成システム。
【請求項１４】
性能情報検出端末も接続されており、
前記情報表示端末は、性能情報を前記第１の送信手段により前記性能検出端末に送信し、
前記性能情報検出端末は、前記情報表示端末により送信された前記性能情報を受信する第４の受信手段と、
前記第４の受信手段により受信された前記性能情報を記憶する第３の記憶手段と、を有し、
情報コンテンツ生成端末は、第２の送信手段により、前記第２の受信手段により前記情報コンテンツの要求を受信したときに、前記通信環境情報の要求を前記通信環境検出端末に送信し、前記性能情報の要求を前記性能情報検出端末に送信し、
前記通信環境検出端末は、前記第１の受信手段により前記通信環境情報の要求を受信したとき、前記第１の記憶手段により記憶されている前記通信環境情報のうち、最新の前記通信環境情報を第３の送信手段により送信し、
前記性能情報検出端末は、前記第４の受信手段により前記性能情報の要求を受信したとき、前記第３の記憶手段により記憶されている前記性能情報を送信する第４の送信手段を有し、
前記情報コンテンツ生成端末は、前記通信環境検出端末により送信された前記通信環境情報と前記性能情報検出端末により送信された前記性能情報を前記第２の受信手段により受信し、
前記第２の受信手段により受信された前記通信環境情報と前記性能情報に基づき、情報コンテンツを情報コンテンツ生成手段により生成することを特徴とする請求項７から１３のいずれか１項に記載のコンテンツ生成システム。
【請求項１５】
前記情報表示端末による、所定の時間間隔ごとに通信環境情報を取得する通信環境情報取得ステップと、
前記通信環境ステップにより取得された前記通信環境情報を前記通信環境検出端末に送信する送信ステップと、を有し、
前記通信環境検出端末による、前記情報表示端末から送信された前記通信環境情報を受信する受信ステップと、
前記受信ステップにより受信された前記通信環境情報を記憶する記憶ステップと、を有することを特徴とする通信環境検出方法。
【請求項１６】
前記通信環境検出端末による、第１の所定の時間間隔ごとに通信環境情報の要求を前記情報表示端末に送信する第１の送信ステップを有し、
前記情報表示端末による、前記通信環境検出端末より送信される前記通信環境情報の要求を受信する第１の受信ステップと、
前記通信環境情報の要求を第１の受信ステップにより受信したときに、前記通信環境情報を取得する通信環境取得ステップと、
前記通信環境情報取得ステップにより取得された前記通信環境情報を前記通信環境検出端末に送信する第２の送信ステップと、を有し、
前記通信環境検出端末による、前記情報表示端末から送信された前記通信環境情報を受信する第２の受信ステップと、
前記第２の受信ステップにより受信された前記通信環境情報を記憶する第１の記憶ステップと、も有することを特徴とする通信環境検出方法。
【請求項１７】
前記情報表示端末による、所定の時間間隔ごとに通信環境情報を取得する通信環境情報取得ステップと、
前記通信環境ステップにより取得された前記通信環境情報を前記通信環境検出端末に送信する第１の送信ステップと、を有し、
前記通信環境検出端末による、前記情報表示端末から送信された前記通信環境情報を受信する第１の受信ステップと、
前記第１の受信ステップにより受信された前記通信環境情報を記憶する第１の記憶ステップと、を有し、
前記情報表示端末による第１の送信ステップにより、情報コンテンツの要求を前記情報コンテンツ生成端末に送信し、
情報コンテンツ生成端末による、前記情報表示端末から送信された前記情報コンテンツの要求を受信する第２の受信ステップと、
前記第２の受信ステップにより前記情報コンテンツの要求を受信したときに、前記通信環境情報の要求を前記通信環境検出端末に送信する第２の送信ステップと、を有し、
前記通信環境検出端末による、前記第１の受信ステップにより前記通信環境情報の要求を受信したとき、前記第１の記憶ステップにより記憶されている前記通信環境情報のうち、最新の前記通信環境情報を送信する第３の送信ステップも有し、
前記情報コンテンツ生成端末による前記第２の受信ステップにより、前記通信環境検出端末から送信された前記通信環境情報を受信し、
前記情報コンテンツ生成端末による、前記第２の受信ステップにより受信された前記通信環境情報に基づき、情報コンテンツを生成する情報コンテンツ生成ステップも有し、
前記情報コンテンツ生成端末による前記第２の送信ステップにより、前記情報コンテンツ生成ステップにより生成された前記情報コンテンツを前記情報表示端末に送信し、
前記情報表示端末による、前記情報コンテンツ生成端末から送信された前記情報コンテンツを受信する第３の受信ステップも有することを特徴とするコンテンツ生成方法。
【請求項１８】
前記通信環境検出端末による、第１の所定の時間間隔ごとに通信環境情報の要求を前記情報表示端末に送信する第３の送信ステップを有し、
前記情報表示端末による、前記通信環境検出端末より送信される前記通信環境情報の要求を受信する第３の受信ステップと、
前記通信環境情報の要求を第３の受信ステップにより受信したときに、前記通信環境情報を取得する通信環境取得ステップと、
前記通信環境情報取得ステップにより取得された前記通信環境情報を前記通信環境検出端末に送信する第１の送信ステップと、を有し、
前記通信環境検出端末による、前記情報表示端末から送信された前記通信環境情報を受信する第１の受信ステップと、
前記第１の受信ステップにより受信された前記通信環境情報を記憶する第１の記憶ステップと、も有し、
前記情報表示端末による第１の送信ステップにより、情報コンテンツの要求を前記情報コンテンツ生成端末に送信し、
情報コンテンツ生成端末による、前記情報表示端末から送信された前記情報コンテンツの要求を受信する第２の受信ステップと、
前記第２の受信ステップにより前記情報コンテンツの要求を受信したときに、前記通信環境情報の要求を前記通信環境検出端末に送信する第２の送信ステップと、を有し、
前記通信環境検出端末による第３の送信ステップにより、前記第１の受信ステップにより前記通信環境情報の要求を受信したとき、前記第１の記憶ステップにより記憶されている前記通信環境情報のうち、最新の前記通信環境情報を送信し、
前記情報コンテンツ生成端末による前記第２の受信ステップにより、前記通信環境検出端末から送信された前記通信環境情報を受信し、
前記情報コンテンツ生成端末による、前記第２の受信ステップにより受信された前記通信環境情報に基づき、情報コンテンツを生成する情報コンテンツ生成ステップを有し、
前記情報コンテンツ生成端末による前記第２の送信ステップにより前記情報コンテンツ生成ステップにより生成された前記情報コンテンツを前記情報表示端末に送信し、
前記情報表示端末よる第３の受信ステップにより、前記情報コンテンツ生成端末から送信された前記情報コンテンツを受信することを特徴とするコンテンツ生成方法。
【請求項１９】
前記情報表示端末を、所定の時間間隔ごとに通信環境情報を取得する通信環境情報取得手段と、
前記通信環境手段により取得された前記通信環境情報を前記通信環境検出端末に送信する送信手段として機能させ、
前記通信環境検出端末を、前記情報表示端末から送信された前記通信環境情報を受信する受信手段と、
前記受信手段により受信された前記通信環境情報を記憶する記憶手段として機能させることを特徴とするプログラム。
【請求項２０】
前記通信環境検出端末を、第１の所定の時間間隔ごとに通信環境情報の要求を前記情報表示端末に送信する第１の送信手段として機能させ、
前記情報表示端末を、前記通信環境検出端末より送信される前記通信環境情報の要求を受信する第１の受信手段と、
前記通信環境情報の要求を第１の受信手段により受信したときに、前記通信環境情報を取得する通信環境取得手段と、
前記通信環境情報取得手段により取得された前記通信環境情報を前記通信環境検出端末に送信する第２の送信手段として機能させ、
前記通信環境検出端末を、前記情報表示端末から送信された前記通信環境情報を受信する第２の受信手段と、
前記第２の受信手段により受信された前記通信環境情報を記憶する第１の記憶手段としても機能させることを特徴とするプログラム。
【請求項２１】
前記情報表示端末を、所定の時間間隔ごとに通信環境情報を取得する通信環境情報取得手段と、
前記通信環境手段により取得された前記通信環境情報を前記通信環境検出端末に送信する第１の送信手段として機能させ、
前記通信環境検出端末を、前記情報表示端末から送信された前記通信環境情報を受信する第１の受信手段と、
前記第１の受信手段により受信された前記通信環境情報を記憶する第１の記憶手段として機能させ、
前記情報表示端末を、情報コンテンツの要求を前記情報コンテンツ生成端末に第１の送信手段により送信させ、
情報コンテンツ生成端末を、前記情報表示端末から送信された前記情報コンテンツの要求を受信する第２の受信手段と、
前記第２の受信手段により前記情報コンテンツの要求を受信したときに、前記通信環境情報の要求を前記通信環境検出端末に送信する第２の送信手段として機能させ、
前記通信環境検出端末を、前記第１の受信手段により前記通信環境情報の要求を受信したとき、前記第１の記憶手段により記憶されている前記通信環境情報のうち、最新の前記通信環境情報を送信する第３の送信手段としても機能させ、
前記情報コンテンツ生成端末を、前記通信環境検出端末から送信された前記通信環境情報を前記第２の受信手段により受信させ、
前記第２の受信手段により受信された前記通信環境情報に基づき、情報コンテンツを生成する情報コンテンツ生成手段としても機能させ、
前記情報コンテンツ生成手段により生成された前記情報コンテンツを前記情報表示端末に前記第２の送信手段により送信させ、
前記情報表示端末を、前記情報コンテンツ生成端末から送信された前記情報コンテンツを受信する第３の受信手段としても機能させることを特徴とするプログラム。
【請求項２２】
前記通信環境検出端末を、第１の所定の時間間隔ごとに通信環境情報の要求を前記情報表示端末に送信する第３の送信手段として機能させ、
前記情報表示端末を、前記通信環境検出端末より送信される前記通信環境情報の要求を受信する第３の受信手段と、
前記通信環境情報の要求を第３の受信手段により受信したときに、前記通信環境情報を取得する通信環境取得手段と、
前記通信環境情報取得手段により取得された前記通信環境情報を前記通信環境検出端末に送信する第１の送信手段として機能させ、
前記通信環境検出端末を、前記情報表示端末から送信された前記通信環境情報を受信する第１の受信手段と、
前記第１の受信手段により受信された前記通信環境情報を記憶する第１の記憶手段として機能させ、
前記情報表示端末を、情報コンテンツの要求を前記情報コンテンツ生成端末に第１の送信手段により送信させ、
情報コンテンツ生成端末を、前記情報表示端末から送信された前記情報コンテンツの要求を受信する第２の受信手段と、
前記第２の受信手段により前記情報コンテンツの要求を受信したときに、前記通信環境情報の要求を前記通信環境検出端末に送信する第２の送信手段として機能させ、
前記通信環境検出端末を、前記第１の受信手段により前記通信環境情報の要求を受信したとき、前記第１の記憶手段により記憶されている前記通信環境情報のうち、最新の前記通信環境情報を第３の送信手段により送信させ、
前記情報コンテンツ生成端末を、前記通信環境検出端末から送信された前記通信環境情報を前記第２の受信手段により受信させ、
前記第２の受信手段により受信された前記通信環境情報に基づき、情報コンテンツを生成する情報コンテンツ生成手段としても機能させ、
前記情報コンテンツ生成手段により生成された前記情報コンテンツを前記情報表示端末に前記第２の送信手段により送信させ、
前記情報表示端末を、前記情報コンテンツ生成端末から送信された前記情報コンテンツを第３の受信手段により受信させることを特徴とするプログラム。
【発明の詳細な説明】
【技術分野】
【０００１】
本発明は、ネットワークを介してコンテンツを送受信する通信環境検出システム、コンテンツ生成システム、通信環境検出方法、コンテンツ生成方法及びプログラムに関する。
【背景技術】
【０００２】
ネットワーク環境の整備が進み、パーソナルコンピュータや携帯電話端末などの情報表示端末の高機能化、高性能化が進むことにより、ネットワークを介して送受信される情報コンテンツは、画像データや動画データなども含むようになり、情報量が増大してきている。
【０００３】
通常はこれらの情報コンテンツはすべての情報表示端末に対して同じものを送信しているため、情報表示端末の通信環境によっては、情報コンテンツの受信を完了するまでに時間がかかってしまうことがあった。また、情報表示端末の性能によっては、処理能力が足りず、情報コンテンツの表示がうまくいかないことなどもあった。
【０００４】
これらの問題を解決するために、例えば、特許文献１では、あらかじめ、情報コンテンツの送信先の伝送状況と表示仕様を記憶しておき、これらに適合するように画像データを処理してから送信を行う方法が開示されている。
【０００５】
また、特許文献２では、あらかじめ、ユーザ端末のインターネット接続環境や処理能力の登録を受けておき、これらに基づき、配信用の情報コンテンツの情報量を調整する方法が開示されている。
【先行技術文献】
【特許文献】
【０００６】
【特許文献１】特開２００２−２６２２８８号公報
【特許文献２】特開２００８−１２３４３７号公報
【発明の概要】
【発明が解決しようとする課題】
【０００７】
しかしながら、特許文献１における伝送状況と、特許文献２におけるインターネット接続環境は、情報コンテンツを送信する装置が事前に記憶しておくものである。このように、通信環境情報を事前に記憶しておき、この記憶された通信環境情報に基づき、送信する情報コンテンツの情報量を変える方法は、携帯電話等の無線通信のように、移動により通信環境が変化する場合には適用できない。
【０００８】
そこで本発明は、上記問題点に鑑みてなされたもので、通信環境に基づき、コンテンツを生成し、送信するための通信環境検出システム、コンテンツ生成システム、通信環境検出方法、コンテンツ生成方法及びプログラムを提供することを目的とする。
【課題を解決するための手段】
【０００９】
上記課題を解決するため、本発明における通信環境検出システムは、情報表示端末と通信環境検出端末とが接続されている通信環境検出システムであって、前記情報表示端末は、所定の時間間隔ごとに通信環境情報を取得する通信環境情報取得手段と、前記通信環境手段により取得された前記通信環境情報を前記通信環境検出端末に送信する送信手段と、を有し、前記通信環境検出端末は、前記情報表示端末から送信された前記通信環境情報を受信する受信手段と、前記受信手段により受信された前記通信環境情報を記憶する記憶手段と、を有することを特徴とする。
【００１０】
また、本発明における通信環境検出システムは、情報表示端末と通信環境検出端末とが接続されている通信環境検出システムであって、前記通信環境検出端末は、第１の所定の時間間隔ごとに通信環境情報の要求を前記情報表示端末に送信する第１の送信手段を有し、前記情報表示端末は、前記通信環境検出端末より送信される前記通信環境情報の要求を受信する第１の受信手段と、前記通信環境情報の要求を第１の受信手段により受信したときに、前記通信環境情報を取得する通信環境取得手段と、前記通信環境情報取得手段により取得された前記通信環境情報を前記通信環境検出端末に送信する第２の送信手段と、を有し、前記通信環境検出端末は、前記情報表示端末から送信された前記通信環境情報を受信する第２の受信手段と、前記第２の受信手段により受信された前記通信環境情報を記憶する第１の記憶手段と、も有することを特徴とする。
【００１１】
また、本発明におけるコンテンツ生成システムは、情報表示端末と通信環境検出端末と情報コンテンツ生成端末とが接続されているコンテンツ生成システムであって、前記情報表示端末は、所定の時間間隔ごとに通信環境情報を取得する通信環境情報取得手段と、前記通信環境手段により取得された前記通信環境情報を前記通信環境検出端末に送信する第１の送信手段と、を有し、前記通信環境検出端末は、前記情報表示端末から送信された前記通信環境情報を受信する第１の受信手段と、前記第１の受信手段により受信された前記通信環境情報を記憶する第１の記憶手段と、を有し、前記情報表示端末は、情報コンテンツの要求を前記情報コンテンツ生成端末に第１の送信手段により送信し、情報コンテンツ生成端末は、前記情報表示端末から送信された前記情報コンテンツの要求を受信する第２の受信手段と、前記第２の受信手段により前記情報コンテンツの要求を受信したときに、前記通信環境情報の要求を前記通信環境検出端末に送信する第２の送信手段と、を有し、前記通信環境検出端末は、前記第１の受信手段により前記通信環境情報の要求を受信したとき、前記第１の記憶手段により記憶されている前記通信環境情報のうち、最新の前記通信環境情報を送信する第３の送信手段も有し、前記情報コンテンツ生成端末は、前記通信環境検出端末から送信された前記通信環境情報を前記第２の受信手段により受信し、前記第２の受信手段により受信された前記通信環境情報に基づき、情報コンテンツを生成する情報コンテンツ生成手段も有し、前記情報コンテンツ生成手段により生成された前記情報コンテンツを前記情報表示端末に前記第２の送信手段により送信し、前記情報表示端末は、前記情報コンテンツ生成端末から送信された前記情報コンテンツを受信する第３の受信手段も有することを特徴とする。
【００１２】
また、本発明におけるコンテンツ生成システムは、情報表示端末と通信環境検出端末とが接続されているコンテンツ生成システムであって、前記通信環境検出端末は、第１の所定の時間間隔ごとに通信環境情報の要求を前記情報表示端末に送信する第３の送信手段を有し、前記情報表示端末は、前記通信環境検出端末より送信される前記通信環境情報の要求を受信する第３の受信手段と、前記通信環境情報の要求を第３の受信手段により受信したときに、前記通信環境情報を取得する通信環境取得手段と、前記通信環境情報取得手段により取得された前記通信環境情報を前記通信環境検出端末に送信する第１の送信手段と、を有し、前記通信環境検出端末は、前記情報表示端末から送信された前記通信環境情報を受信する第１の受信手段と、前記第１の受信手段により受信された前記通信環境情報を記憶する第１の記憶手段と、も有し、前記情報表示端末は、情報コンテンツの要求を前記情報コンテンツ生成端末に第１の送信手段により送信し、情報コンテンツ生成端末は、前記情報表示端末から送信された前記情報コンテンツの要求を受信する第２の受信手段と、前記第２の受信手段により前記情報コンテンツの要求を受信したときに、前記通信環境情報の要求を前記通信環境検出端末に送信する第２の送信手段と、を有し、前記通信環境検出端末は、前記第１の受信手段により前記通信環境情報の要求を受信したとき、前記第１の記憶手段により記憶されている前記通信環境情報のうち、最新の前記通信環境情報を第３の送信手段により送信し、前記情報コンテンツ生成端末は、前記通信環境検出端末から送信された前記通信環境情報を前記第２の受信手段により受信し、前記第２の受信手段により受信された前記通信環境情報に基づき、情報コンテンツを生成する情報コンテンツ生成手段も有し、前記情報コンテンツ生成手段により生成された前記情報コンテンツを前記情報表示端末に前記第２の送信手段により送信し、前記情報表示端末は、前記情報コンテンツ生成端末から送信された前記情報コンテンツを第３の受信手段により受信することを特徴とする。
【００１３】
また、本発明における通信環境検出方法は、前記情報表示端末による、所定の時間間隔ごとに通信環境情報を取得する通信環境情報取得ステップと、前記通信環境ステップにより取得された前記通信環境情報を前記通信環境検出端末に送信する送信ステップと、を有し、前記通信環境検出端末による、前記情報表示端末から送信された前記通信環境情報を受信する受信ステップと、前記受信ステップにより受信された前記通信環境情報を記憶する記憶ステップと、を有することを特徴とする。
【００１４】
また、本発明における通信環境検出方法は、前記通信環境検出端末による、第１の所定の時間間隔ごとに通信環境情報の要求を前記情報表示端末に送信する第１の送信ステップを有し、前記情報表示端末による、前記通信環境検出端末より送信される前記通信環境情報の要求を受信する第１の受信ステップと、前記通信環境情報の要求を第１の受信ステップにより受信したときに、前記通信環境情報を取得する通信環境取得ステップと、前記通信環境情報取得ステップにより取得された前記通信環境情報を前記通信環境検出端末に送信する第２の送信ステップと、を有し、前記通信環境検出端末による、前記情報表示端末から送信された前記通信環境情報を受信する第２の受信ステップと、前記第２の受信ステップにより受信された前記通信環境情報を記憶する第１の記憶ステップと、も有することを特徴とする。
【００１５】
また、本発明におけるコンテンツ生成方法は、前記情報表示端末による、所定の時間間隔ごとに通信環境情報を取得する通信環境情報取得ステップと、前記通信環境ステップにより取得された前記通信環境情報を前記通信環境検出端末に送信する第１の送信ステップと、を有し、前記通信環境検出端末による、前記情報表示端末から送信された前記通信環境情報を受信する第１の受信ステップと、前記第１の受信ステップにより受信された前記通信環境情報を記憶する第１の記憶ステップと、を有し、前記情報表示端末による第１の送信ステップにより、情報コンテンツの要求を前記情報コンテンツ生成端末に送信し、情報コンテンツ生成端末による、前記情報表示端末から送信された前記情報コンテンツの要求を受信する第２の受信ステップと、前記第２の受信ステップにより前記情報コンテンツの要求を受信したときに、前記通信環境情報の要求を前記通信環境検出端末に送信する第２の送信ステップと、を有し、前記通信環境検出端末による、前記第１の受信ステップにより前記通信環境情報の要求を受信したとき、前記第１の記憶ステップにより記憶されている前記通信環境情報のうち、最新の前記通信環境情報を送信する第３の送信ステップも有し、前記情報コンテンツ生成端末による前記第２の受信ステップにより、前記通信環境検出端末から送信された前記通信環境情報を受信し、前記情報コンテンツ生成端末による、前記第２の受信ステップにより受信された前記通信環境情報に基づき、情報コンテンツを生成する情報コンテンツ生成ステップも有し、前記情報コンテンツ生成端末による前記第２の送信ステップにより、前記情報コンテンツ生成ステップにより生成された前記情報コンテンツを前記情報表示端末に送信し、前記情報表示端末による、前記情報コンテンツ生成端末から送信された前記情報コンテンツを受信する第３の受信ステップも有することを特徴とする。
【００１６】
また、本発明におけるコンテンツ生成方法は、前記通信環境検出端末による、第１の所定の時間間隔ごとに通信環境情報の要求を前記情報表示端末に送信する第３の送信ステップを有し、前記情報表示端末による、前記通信環境検出端末より送信される前記通信環境情報の要求を受信する第３の受信ステップと、前記通信環境情報の要求を第３の受信ステップにより受信したときに、前記通信環境情報を取得する通信環境取得ステップと、前記通信環境情報取得ステップにより取得された前記通信環境情報を前記通信環境検出端末に送信する第１の送信ステップと、を有し、前記通信環境検出端末による、前記情報表示端末から送信された前記通信環境情報を受信する第１の受信ステップと、前記第１の受信ステップにより受信された前記通信環境情報を記憶する第１の記憶ステップと、も有し、前記情報表示端末による第１の送信ステップにより、情報コンテンツの要求を前記情報コンテンツ生成端末に送信し、情報コンテンツ生成端末による、前記情報表示端末から送信された前記情報コンテンツの要求を受信する第２の受信ステップと、前記第２の受信ステップにより前記情報コンテンツの要求を受信したときに、前記通信環境情報の要求を前記通信環境検出端末に送信する第２の送信ステップと、を有し、前記通信環境検出端末による第３の送信ステップにより、前記第１の受信ステップにより前記通信環境情報の要求を受信したとき、前記第１の記憶ステップにより記憶されている前記通信環境情報のうち、最新の前記通信環境情報を送信し、前記情報コンテンツ生成端末による前記第２の受信ステップにより、前記通信環境検出端末から送信された前記通信環境情報を受信し、前記情報コンテンツ生成端末による、前記第２の受信ステップにより受信された前記通信環境情報に基づき、情報コンテンツを生成する情報コンテンツ生成ステップを有し、前記情報コンテンツ生成端末による前記第２の送信ステップにより前記情報コンテンツ生成ステップにより生成された前記情報コンテンツを前記情報表示端末に送信し、前記情報表示端末よる第３の受信ステップにより、前記情報コンテンツ生成端末から送信された前記情報コンテンツを受信することを特徴とする。
【００１７】
また、本発明におけるプログラムは、前記情報表示端末を、所定の時間間隔ごとに通信環境情報を取得する通信環境情報取得手段と、前記通信環境手段により取得された前記通信環境情報を前記通信環境検出端末に送信する送信手段として機能させ、前記通信環境検出端末を、前記情報表示端末から送信された前記通信環境情報を受信する受信手段と、前記受信手段により受信された前記通信環境情報を記憶する記憶手段として機能させることを特徴とする。
【００１８】
また、本発明におけるプログラムは、前記通信環境検出端末を、第１の所定の時間間隔ごとに通信環境情報の要求を前記情報表示端末に送信する第１の送信手段として機能させ、前記情報表示端末を、前記通信環境検出端末より送信される前記通信環境情報の要求を受信する第１の受信手段と、前記通信環境情報の要求を第１の受信手段により受信したときに、前記通信環境情報を取得する通信環境取得手段と、前記通信環境情報取得手段により取得された前記通信環境情報を前記通信環境検出端末に送信する第２の送信手段として機能させ、前記通信環境検出端末を、前記情報表示端末から送信された前記通信環境情報を受信する第２の受信手段と、前記第２の受信手段により受信された前記通信環境情報を記憶する第１の記憶手段としても機能させることを特徴とする。
【００１９】
また、本発明におけるプログラムは、前記情報表示端末を、所定の時間間隔ごとに通信環境情報を取得する通信環境情報取得手段と、前記通信環境手段により取得された前記通信環境情報を前記通信環境検出端末に送信する第１の送信手段として機能させ、前記通信環境検出端末を、前記情報表示端末から送信された前記通信環境情報を受信する第１の受信手段と、前記第１の受信手段により受信された前記通信環境情報を記憶する第１の記憶手段として機能させ、前記情報表示端末を、情報コンテンツの要求を前記情報コンテンツ生成端末に第１の送信手段により送信させ、情報コンテンツ生成端末を、前記情報表示端末から送信された前記情報コンテンツの要求を受信する第２の受信手段と、前記第２の受信手段により前記情報コンテンツの要求を受信したときに、前記通信環境情報の要求を前記通信環境検出端末に送信する第２の送信手段として機能させ、前記通信環境検出端末を、前記第１の受信手段により前記通信環境情報の要求を受信したとき、前記第１の記憶手段により記憶されている前記通信環境情報のうち、最新の前記通信環境情報を送信する第３の送信手段としても機能させ、前記情報コンテンツ生成端末を、前記通信環境検出端末から送信された前記通信環境情報を前記第２の受信手段により受信させ、前記第２の受信手段により受信された前記通信環境情報に基づき、情報コンテンツを生成する情報コンテンツ生成手段としても機能させ、前記情報コンテンツ生成手段により生成された前記情報コンテンツを前記情報表示端末に前記第２の送信手段により送信させ、前記情報表示端末を、前記情報コンテンツ生成端末から送信された前記情報コンテンツを受信する第３の受信手段としても機能させることを特徴とする。
【００２０】
また、本発明におけるプログラムは、前記通信環境検出端末を、第１の所定の時間間隔ごとに通信環境情報の要求を前記情報表示端末に送信する第３の送信手段として機能させ、前記情報表示端末を、前記通信環境検出端末より送信される前記通信環境情報の要求を受信する第３の受信手段と、前記通信環境情報の要求を第３の受信手段により受信したときに、前記通信環境情報を取得する通信環境取得手段と、前記通信環境情報取得手段により取得された前記通信環境情報を前記通信環境検出端末に送信する第１の送信手段として機能させ、前記通信環境検出端末を、前記情報表示端末から送信された前記通信環境情報を受信する第１の受信手段と、前記第１の受信手段により受信された前記通信環境情報を記憶する第１の記憶手段として機能させ、前記情報表示端末を、情報コンテンツの要求を前記情報コンテンツ生成端末に第１の送信手段により送信させ、情報コンテンツ生成端末を、前記情報表示端末から送信された前記情報コンテンツの要求を受信する第２の受信手段と、前記第２の受信手段により前記情報コンテンツの要求を受信したときに、前記通信環境情報の要求を前記通信環境検出端末に送信する第２の送信手段として機能させ、前記通信環境検出端末を、前記第１の受信手段により前記通信環境情報の要求を受信したとき、前記第１の記憶手段により記憶されている前記通信環境情報のうち、最新の前記通信環境情報を第３の送信手段により送信させ、前記情報コンテンツ生成端末を、前記通信環境検出端末から送信された前記通信環境情報を前記第２の受信手段により受信させ、前記第２の受信手段により受信された前記通信環境情報に基づき、情報コンテンツを生成する情報コンテンツ生成手段としても機能させ、前記情報コンテンツ生成手段により生成された前記情報コンテンツを前記情報表示端末に前記第２の送信手段により送信させ、前記情報表示端末を、前記情報コンテンツ生成端末から送信された前記情報コンテンツを第３の受信手段により受信させることを特徴とする。
【発明の効果】
【００２１】
本発明により、通信環境に基づき、コンテンツを生成し、送信することができる。
【図面の簡単な説明】
【００２２】
【図１】コンテンツ生成システムの構成の一例を示す図である。
【図２】本発明の実施形態に係るコンテンツ生成システムの構成の一例を示す図である。
【図３】本発明の実施形態に係るコンテンツ生成システムにおける処理動作の一例を示す図である。
【図４】本発明の実施形態に係るコンテンツ生成システムの構成の一例を示す図である。
【図５】本発明の実施形態に係るコンテンツ生成システムにおける処理動作の一例を示す図である。
【発明を実施するための形態】
【００２３】
次に、本発明を実施するための形態について図面を参照して詳細に説明する。
【００２４】
図１は、ネットワークを介して、情報コンテンツを取得する情報コンテンツ送受信システムの構成の一例を示した図である。複数の情報表示端末１０と情報コンテンツ生成端末２０を備えており、情報表示端末１０と情報コンテンツ端末２０は、ネットワーク１００を介して接続されている。
【００２５】
情報表示端末１０は、ネットワーク１００を介して情報を送信する送信手段と、ネットワーク１００を介して送られてきた情報を受信する受信手段と、情報に基づいた表示を行う表示手段とを備えている。情報表示端末１０は、例えば、プログラム制御により動作している。情報表示端末１０は、例えば、情報表示機能を有したパソコン、携帯電話、ゲーム機等であり、無線や有線により情報の送受信を行う。情報表示端末１０は、プログラム制御により動作するようにしても良い。
【００２６】
情報コンテンツ生成端末２０は、ネットワーク１００を介して送られてきた情報を受信する受信手段と、ネットワーク１００を介して情報を送信する送信手段と、情報を記憶する記憶手段と、情報に基づき、コンテンツを生成する手段とを備えている。情報コンテンツ生成端末２０は、例えば、パーソナルコンピュータ、サーバ等の情報処理装置である。情報コンテンツ生成端末２０は、例えば、プログラム制御により動作している。情報コンテンツ生成端末２０は、プログラム制御により動作するにしても良い。
【００２７】
情報コンテンツとして、いろいろと考えられる。情報コンテンツは、例えば、通信環境に従って、情報量を変えることができるＷＥＢ（World wide webを省略した呼び方）ページやストリーミング配信される動画データなどがある。
【００２８】
ネットワーク１００は、例えば、公衆無線網や携帯電話網、インターネット等である。
【００２９】
図１に示した構成のときの通常の処理動作の一例を説明する。情報表示端末１０は、情報コンテンツの要求を情報コンテンツ生成端末２０に送信手段により送信する。情報コンテンツ生成手段２０は、情報表示端末１０から送信された情報コンテンツの要求を受信手段により受信し、この受信した情報コンテンツの要求に従い、情報コンテンツを情報コンテンツ生成手段により生成する。情報コンテンツ生成端末２０は、この生成された情報コンテンツを情報表示端末１０に送信手段により送信する。情報表示端末１０は、この情報コンテンツ生成端末１０から送信された情報コンテンツを受信手段により受信し、この受信した情報コンテンツに基づき、表示手段により表示を行う。
【００３０】
ここで、情報表示端末１０は、例えば、ユーザにより情報コンテンツの要求の入力があったときに、情報コンテンツ生成端末２０に情報コンテンツの要求を送るようにしても良い。
【００３１】
このとき、情報コンテンツ生成端末１０において情報コンテンツが生成されるとき、情報表示端末１０の通信環境は考慮していない。このため、情報表示端末１０の通信環境に応じて、情報量を制限した情報コンテンツを生成することができない。
【００３２】
図２は、本発明に実施形態に係るコンテンツ生成システムの構成の一例を示した図である。これは、図１に示した構成に通信環境検出端末３０を加えた構成になっている。通信環境検出端末３０は、ネットワーク１００を介して、情報表示端末１０と情報コンテンツ生成端末２０と接続している。
【００３３】
情報表示端末１０は、上述した送信手段、受信手段、表示手段に加え、通信環境情報を取得する通信環境情報取得手段と、情報を記憶する記憶手段とを備えている。
【００３４】
通信環境情報として、いろいろと考えられる。例えば、電波を使用して送受信を行う場合は、通信環境情報として、受信する電波強度に対する情報や通信回線の通信速度に対する情報などが考えられる。また、例えば、有線により送受信を行う場合にも、通信回線の通信速度などの情報が考えられる。例えば、簡単化のため、通信環境情報として、通信環境が良い、と、通信環境が悪い、の２パターンがある場合が考えられる。
【００３５】
通信環境情報取得手段による通信環境情報の取得の方法として、いろいろと考えられる。例えば、電波強度を測定するセンサなどを情報表示端末１０が通信環境情報取得手段として備えるようにしても良い。
【００３６】
通信環境検出端末３０は、情報を受信する受信手段と、情報を送信する送信手段と、情報を記憶する記憶手段とを備える。通信環境検出端末３０は、例えば、ルータ等のネットワーク装置である。通信環境検出端末３０は、プログラム制御により動作するようにしても良い。
【００３７】
図２の構成の際に、本発明の実施形態に係るコンテンツ生成システムにおいて行われる処理動作の一例として、例えば、次のようなものがある。情報表示端末１０は、定期的に通信環境検出端末３０に、通信環境情報を送信手段により送信する。そして、通信環境検出端末３０は、情報表示端末１０から送信された通信環境情報を受信し、この受信した通信環境情報を記憶手段により記憶する。
【００３８】
こうすることにより、通信環境検出端末３０は、情報表示端末１０が移動したとしても、定期的に通信環境を受信しているため、情報表示端末１０の通信環境情報をリアルタイムに近い形で記憶できていることになる。そこで、通信環境検出端末３０ができる限りリアルタイムに近い形で、情報表示端末１０の通信環境情報を記憶しておけるように、なるべく短い時間間隔で、情報表示端末１０から通信環境検出端末３０への通信環境情報の送信が行われるようにするのが良い。
【００３９】
この情報表示端末１０から通信環境検出端末３０へ通信環境情報の送信を定期的に行う方法は、いろいろと考えられる。例えば、情報表示端末１０が定期的に通信環境情報手段により通信環境情報を取得し、通信環境検出端末３０に送信するように制御されていても良い。また、通信環境検出端末３０が情報表示端末１０に通信環境情報の要求を定期的に送信し、情報表示端末１０は、この要求を受信したときに、通信環境情報取得手段により通信環境情報を取得し、通信環境検出端末３０に送信するようにしても良い。または、情報表示端末１０は、定期的に通信環境情報取得手段により通信環境情報を取得し、記憶手段により記憶するようにしておき、通信環境検出端末３０から送信された通信環境情報の要求を受信したときに、この記憶手段により記憶された通信環境情報のうちで最新のものを、通信環境検出端末３０に送るようにしても良い。定期的に通信環境情報取得手段により通信環境情報を取得されるタイミングは、通信環境検出端末３０が情報表示端末１０に通信環境情報の要求を定期的に送信するタイミングと同じでも良いし、違うタイミングであっても良い。
【００４０】
情報表示端末１０が通信環境情報を通信環境情報取得手段により取得するタイミングとして、いろいろと考えられる。例えば、情報表示端末１０が定期的に通信環境情報を通信環境情報取得手段により取得し、記憶手段により記憶するようにしても良い。また、定期的に通信環境検出端末から通信環境情報の要求が情報表示端末１０に送信するようにし、情報表示端末１０は、この要求を受信するごとに、通信環境情報を通信環境情報取得手段により取得するようにしても良い。
【００４１】
図３は、図２に示した構成の際に、本発明の実施形態に係るコンテンツ生成システムにおいて行われる処理動作を示した図である。情報表示端末１０は、情報コンテンツの要求を情報コンテンツ生成装置２０に送信手段により送信する（Ｓ１０１）。情報コンテンツ生成手段２０は、情報表示端末１０から送信された情報コンテンツの要求を受信手段により受信し（Ｓ１０２）、この受信した情報コンテンツの要求に基づき、通信環境検出端末３０に、情報表示端末１０の通信環境情報に対する要求を送信手段により送信する（Ｓ１０３）。通信環境検出端末３０は、情報コンテンツ生成端末２０から送信された、情報表示端末１０の通信環境情報に対する要求を受信手段により受信し（Ｓ１０４）、この受信した、情報表示端末１０の通信環境情報に対する要求に基づき、情報表示端末１０の通信環境情報を情報コンテンツ生成端末２０に送信手段により送信する（Ｓ１０５）。情報コンテンツ生成端末２０は、通信環境検出端末３０から送信された情報表示端末１０の通信環境情報を受信手段により受信し（Ｓ１０６）、この受信した情報表示端末１０の通信環境情報に基づき、情報コンテンツを情報コンテンツ生成手段により生成する（Ｓ１０７）。情報コンテンツ生成端末２０は、この生成された情報コンテンツを情報表示端末１０に送信手段により送信する（Ｓ１０８）。情報表示端末１０は、情報コンテンツ生成端末から送信された情報コンテンツを受信手段により受信し（Ｓ１０９）、この受信した情報コンテンツを表示手段により表示し（Ｓ１１０）、処理を終了する。
【００４２】
ここで、例えば、通信環境情報の記述が、通信環境が良い、と、通信環境が悪い、の２パターンのみであるとする。そして、情報表示端末１０の通信環境が良いときに、通信環境が良い、と通信表示端末１０の通信環境情報に記述されており、情報表示端末１０の通信環境が悪いときに、通信環境が悪い、と通信環境情報に記述されているとする。このとき、例えば、通信環境が良い、と通信環境情報に記述されているときは、特に情報量の制限をせずに、情報コンテンツを情報コンテンツ生成手段により生成するようにすれば良い。また、通信環境が悪い、と通信環境情報に記述されているときは、情報量を制限し、情報コンテンツを情報コンテンツ生成手段により生成するようにすると良い。
【００４３】
または、例えば、通信環境情報の記述が電波強度のみである場合は、情報コンテンツ生成端末２０は、電波強度に応じた、情報コンテンツの情報量を記述した電波強度情報量テーブルを、記憶手段により記憶するようにしておくと良い。そして、情報コンテンツ生成端末２０は、受信した通信環境情報とこの情報量テーブルに基づき、情報コンテンツ生成手段により生成する情報コンテンツの情報量を決めるようにすると良い。
【００４４】
以上のようにすることにより、情報表示端末１０の通信環境情報に応じて、情報コンテンツ生成端末２０が情報量を制限した情報コンテンツを生成し、送信することができる。このため、情報表示端末１０の通信環境が良好でない場合でも、例えば、情報表示端末が情報コンテンツを表示するまでに時間を要することを改善することができるようになる。例えば、特に、携帯電話によりインターネット上のＷＥＢページを表示する際に、この効果は顕著になる。
【００４５】
図４は、本発明の実施形態に係るコンテンツ生成システムの構成の一例を示す図である。図２に示した構成に、性能情報検出端末４０を加えた構成になっている。性能情報検出端末４０は、ネットワーク１００を介して、情報表示端末１０と情報コンテンツ生成端末２０と通信環境検出端末３０とに接続している。
【００４６】
情報表示端末１０は、上述した送信手段、受信手段、表示手段、通信環境情報取得手段、記憶手段を備えていることに加え、情報表示端末１０に対する性能情報を記憶手段により記憶している。
【００４７】
情報表示端末１０に対する性能情報には、情報表示端末１０の性能についての情報が記述される。例えば、情報表示端末１０の処理能力についての情報や情報表示端末１０の通信性能についての情報などが記述される。
【００４８】
性能情報検出端末４０は、情報を受信する受信手段と、情報を送信する送信手段と、情報を記憶する記憶手段とを備える。性能情報検出端末４０は、プログラム制御により動作するようにしても良い。
【００４９】
図４の構成の際に、本発明の実施形態に係るコンテンツ生成システムにおいて行われる処理動作として、情報表示端末１０は、性能情報検出端末４０に、情報表示端末１０に対する性能情報を送信手段により送信することにする。そして、性能情報検出端末４０は、情報表示端末１０から送信された情報表示端末１０に対する性能情報を受信し、この受信した情報表示端末１０に対する情報を記憶手段により記憶することにする。情報表示端末１０は、この情報表示端末１０から性能情報検出端末４０への性能情報の送信を、定期的に行われるようにしても良いし、情報表示端末１０の電源が入るごとに行われるようにしても良い。また、情報表示端末１０は、この性能情報の送信を、この情報表示端末１０が初めて使用されたときに１度だけ行うようにしても良い。
【００５０】
この情報表示端末１０から性能情報検出端末４０へ性能情報の送信を定期的に行う方法は、いろいろと考えられる。例えば、情報表示端末１０が定期的に性能情報検出端末４０に通信環境情報を送信するように制御されていても良い。また、性能情報検出端末４０が情報表示端末１０に性能情報の要求を定期的に送信し、情報表示端末１０は、この要求を受信したときに、性能情報を性能情報検出端末４０に送信するようにしても良い。
【００５１】
図５は、図４に示した構成の際に、本発明の実施形態に係るコンテンツ生成システムにおいて行われる処理動作を示した図である。情報表示端末１０は、情報コンテンツの要求を情報コンテンツ生成装置２０に送信手段により送信する（Ｓ２０１）。情報コンテンツ生成手段２０は、情報表示端末１０から送信された情報コンテンツの要求を受信手段により受信し（Ｓ２０２）、この受信した情報コンテンツの要求に基づき、通信環境検出端末３０に、情報表示端末１０の通信環境情報に対する要求を送信手段により送信し（Ｓ２０３）、性能情報検出端末４０に、情報表示端末１０の性能情報に対する要求を送信手段により送信する（Ｓ２０４）。通信環境検出端末３０は、情報コンテンツ生成端末２０から送信された、情報表示端末１０の通信環境情報に対する要求を受信手段により受信し（Ｓ２０５）、この受信した、情報表示端末１０の通信環境情報に対する要求に基づき、情報表示端末１０の通信環境情報を情報コンテンツ生成端末２０に送信手段により送信する（Ｓ２０６）。性能情報検出端末４０は、情報コンテンツ生成端末２０から送信された、情報表示端末１０の性能情報に対する要求を受信手段により受信し（Ｓ２０７）、この受信した、情報表示端末１０の性能情報に対する要求に基づき、情報表示端末１０の性能情報を情報コンテンツ生成端末２０に送信手段により送信する（Ｓ２０８）。情報コンテンツ生成端末２０は、通信環境検出端末３０から送信された情報表示端末１０の通信環境情報と受信手段により受信し（Ｓ２０９）、性能情報検出端末４０から送信された情報表示端末１０の性能情報とを受信手段により受信する（Ｓ２１０）。情報コンテンツ生成端末２０は、この受信した情報表示端末１０の通信環境情報と性能情報に基づき、情報コンテンツを情報コンテンツ生成手段により生成する（Ｓ２１１）。情報コンテンツ生成端末２０は、この生成された情報コンテンツを情報表示端末１０に送信手段により送信する（Ｓ２１２）。情報表示端末１０は、情報コンテンツ生成端末から送信された情報コンテンツを受信手段により受信し（Ｓ２１３）、この受信した情報コンテンツを表示手段により表示し（Ｓ２１４）、処理を終了する。
【００５２】
ここで、例えば、通信環境情報が、通信環境が良い、と、通信環境が悪い、の２パターンのみであり、性能情報が、性能が良い、と性能が悪い、の２パターンのみであるとする。そして、情報表示端末１０の通信環境が良いときに、通信環境が良い、と通信表示端末１０の通信環境情報に記述されており、情報表示端末１０の通信環境が悪いときに、通信環境が悪い、と通信環境情報に記述されているとする。また、そして、情報表示端末１０の性能が良いときに、性能が良い、と通信表示端末１０の性能情報に記述されており、情報表示端末１０の性能が悪いときに、性能が悪い、と性能情報に記述されているとする。性能が良いのか悪いのかの判断方法として、例えば、情報表示端末１０がＣＰＵを備えているならば、ＣＰＵのクロック周波数がある値よりも大きい場合を、性能が良い、として、ＣＰＵのクロック周波数がある値よりも小さい場合を、性能が悪い、とするような方法が考えられる。
【００５３】
このとき、例えば、通信環境情報の記述が、通信環境が悪い、ではなく、かつ、性能情報の記述が、性能が悪い、ではないときは、特に情報量の制限をせずに、情報コンテンツを情報コンテンツ生成手段により生成するようにすれば良い。また、通信環境情報の記述が、通信環境が悪い、であるとき、と、性能情報の記述が、性能が悪い、であるときは、情報量を制限し、情報コンテンツを情報コンテンツ生成手段により生成するようにすると良い。
【００５４】
または、例えば、通信環境情報の記述が電波強度のみであり、性能情報がＣＰＵのクロック周波数のみの場合は、情報コンテンツ生成端末２０は、電波強度とＣＰＵのクロック周波数に応じた、情報コンテンツの情報量を記述したＣＰＵ電波強度情報量テーブルを、記憶手段により記憶するようにしておくと良い。そして、情報コンテンツ生成端末２０は、受信した通信環境情報とこのＣＰＵ情報量テーブルに基づき、情報コンテンツ生成手段により生成する情報コンテンツの情報量を決めるようにすると良い。
【００５５】
以上のようにすることにより、情報表示端末１０の処理能力も考慮した情報コンテンツを生成することが可能になる。このため、例えば、さらに、情報表示端末が情報コンテンツを表示するまでに時間を要することを改善することができるようになる。
【００５６】
また、情報コンテンツ端末２０は、情報表示端末１０から要求された情報コンテンツに応じて、情報表示端末１０に課金する課金手段を備えるようにしても良い。情報コンテンツ端末２０が情報表示端末１０に課金する方法はいろいろ考えられる。
【００５７】
また、以上の実施形態を情報コンテンツ送受信システムにおいて実行するプログラムは、各端末に組み込まれ、各端末を制御するようにしておいても良い。
【００５８】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００５９】
また、本発明における通信環境検出システムは、前記送信手段は、前記通信環境手段により前記通信環境情報が取得されるごとに、当該通信環境情報を前記通信環境検出端末に送信するようにしても良い。
【００６０】
また、本発明における通信環境検出システムは、前記通信環境情報取得手段は、第２の所定の時間間隔ごとに前記通信環境情報を取得し、前記情報表示端末は、前記通信環境取得手段により取得された前記通信環境情報を記憶する第２の記憶手段を有し、前記第２の送信手段は、前記通信環境情報の要求を第２の受信手段により受信したときに、前記第２の記憶手段により記憶されている前記通信環境情報のうちで、最新の前記通信環境情報を送信するようにしても良い
【００６１】
また、本発明における通信環境検出システムは、前記通信環境情報は、無線通信の際に使用される電波の強度が記述されているようにしても良い。
【００６２】
また、本発明における通信環境検出システムは、前記通信環境情報は、有線通信の際に使用される回線の通信速度が記述されているようにしても良い。
【００６３】
また、本発明におけるコンテンツ生成システムは、前記第１の送信手段は、前記通信環境手段により前記通信環境情報が取得されるごとに、当該通信環境情報を前記通信環境検出端末に送信するようにしても良い。
【００６４】
また、本発明におけるコンテンツ生成システムは、前記通信環境情報取得手段は、第２の所定の時間間隔ごとに前記通信環境情報を取得し、前記情報表示端末は、前記通信環境取得手段により取得された前記通信環境情報を記憶する第２の記憶手段を有し、前記第１の送信手段は、前記通信環境情報の要求を第３の受信手段により受信したときに、前記第２の記憶手段により記憶されている前記通信環境情報のうちで、最新の前記通信環境情報を送信するようにしても良い。
【００６５】
また、本発明におけるコンテンツ生成システムは、前記通信環境情報は、無線通信の際に使用される電波の強度が記述されているようにしても良い。
【００６６】
また、本発明におけるコンテンツ生成システムは、前記通信環境情報は、有線通信の際に使用される回線の通信速度が記述されているようにしても良い。
【００６７】
また、本発明におけるコンテンツ生成システムは、前記情報表示端末は、前記受信された情報コンテンツを表示する表示手段も有するようにしても良い。
【００６８】
また、本発明におけるコンテンツ生成システムは、性能情報検出端末も接続されており、前記情報表示端末は、性能情報を前記第１の送信手段により前記性能検出端末に送信し、前記性能情報検出端末は、前記情報表示端末により送信された前記性能情報を受信する第４の受信手段と、前記第４の受信手段により受信された前記性能情報を記憶する第３の記憶手段と、を有し、
情報コンテンツ生成端末は、第２の送信手段により、前記第２の受信手段により前記情報コンテンツの要求を受信したときに、前記通信環境情報の要求を前記通信環境検出端末に送信し、前記性能情報の要求を前記性能情報検出端末に送信し、前記通信環境検出端末は、前記第１の受信手段により前記通信環境情報の要求を受信したとき、前記第１の記憶手段により記憶されている前記通信環境情報のうち、最新の前記通信環境情報を第３の送信手段により送信し、前記性能情報検出端末は、前記第４の受信手段により前記性能情報の要求を受信したとき、前記第３の記憶手段により記憶されている前記性能情報を送信する第４の送信手段を有し、前記情報コンテンツ生成端末は、前記通信環境検出端末により送信された前記通信環境情報と前記性能情報検出端末により送信された前記性能情報を前記第２の受信手段により受信し、前記第２の受信手段により受信された前記通信環境情報と前記性能情報に基づき、情報コンテンツを情報コンテンツ生成手段により生成するようにしても良い。
【符号の説明】
【００６９】
１０    情報表示端末
２０    情報コンテンツ生成端末
３０    通信環境検出端末
４０    性能情報検出端末
【図１】
2010226586.tif 000003
【図２】
2010226586.tif 000004
【図３】
2010226586.tif 000005
【図４】
2010226586.tif 000006
【図５】
2010226586.tif 000007